(57)【特許請求の範囲】
【請求項１】
傾斜支持部７を有する傾斜架台４の低レベル側の下部を支持部材８に載置して、前記傾斜架台４の上部を水平にした状態で傾斜架台４を地盤３上に配置し、その傾斜架台４に鋼管杭回転圧入装置２の下部を係合した状態で載置した後、前記鋼管杭回転圧入装置２に回転圧入用鋼管杭１を建て込み、その回転圧入用鋼管杭１の下部を鋼管杭回転圧入装置２により把持した状態で、鋼管杭回転圧入装置２の一端側をクレーン６により片吊りして前記傾斜架台４の下部の前記支持部材８を撤去し、次いで前記鋼管杭回転圧入装置２を吊り降ろして、鋼管杭回転圧入装置２および回転圧入用鋼管杭１を地盤３に対して傾斜させ、その後、鋼管杭回転圧入装置２を駆動して、回転圧入用鋼管杭１を地盤３に回転させながら圧入することを特徴とする斜杭の施工方法。
【請求項２】
鋼管杭挿通孔９を有する座板１８上に間隔をおいて配置された一対の架台５に鋼管杭回転圧入装置２の下部を係合した状態で載置した後、その鋼管杭回転圧入装置２に回転圧入用鋼管杭１を建て込み、その回転圧入用鋼管杭１の下部を鋼管杭回転圧入装置２により把持した状態で、鋼管杭回転圧入装置２の一端側をクレーン６により片吊りして一方の架台５を撤去し、次いで前記鋼管杭回転圧入装置２を吊り降ろして、鋼管杭回転圧入装置２および回転圧入用鋼管杭１を地盤３に対して傾斜させ、その後、鋼管杭回転圧入装置２を駆動して、回転圧入用鋼管杭１を地盤３に回転させながら圧入することを特徴とする斜杭の施工方法。
【請求項３】
請求項１記載の斜杭の施工方法に適用され、上部の一端側から他端側に向って傾斜する前記傾斜支持部７を備えていると共に、鋼管杭挿通孔９を備えている傾斜架台４が地盤３上に配置され、その傾斜架台４に、鋼管杭回転圧入装置２の下部を係合させるＬ形鋼板からなるずれ止めを備えると共に、鋼管杭回転圧入装置２が傾斜した状態で載置されていることを特徴とする斜杭施工装置。
【請求項４】
請求項２記載の斜杭の施工方法に適用され、鋼管杭挿通孔９を有する座板１８上に配置された架台５に、鋼管杭回転圧入装置２の一側下部が係合載置されて、鋼管杭回転圧入装置２が傾斜した状態で配置されていることを特徴とする斜杭施工装置。
【請求項５】
鋼管杭回転圧入装置２の一側下部が、着脱自在なピンを介して係合載置されることを特徴とする請求項４記載の斜杭施工装置。
【発明の詳細な説明】
【０００１】
【発明の属する技術分野】
本発明は、鉄塔等の上部構造物を支持するために地盤に圧入される回転圧入用鋼管杭からなる斜杭を施工するための斜杭の施工方法および施工装置ならびに斜杭施工用架台に関する。
【０００２】
【従来の技術】
従来、全旋回オールケーシング掘削機などの鋼管杭回転圧入装置を使用して、鋼管杭を回転させながら地盤に直角に圧入施工することは一般に行なわれているが、鋼管杭を地盤に対して傾斜した状態で、回転させながら圧入することは知られていない。
【０００３】
特に、鋼管杭の周側面に螺旋状羽根または翼を有する回転圧入用鋼管杭については、回転圧入用鋼管杭を傾斜した状態で、地盤に回転圧入施工することは、行なわれていない。
【０００４】
【発明が解決しようとする課題】
傾斜した状態で回転圧入用鋼管杭を全旋回オールケーシング掘削機にセットすることが困難であるという問題があると共に、回転圧入用鋼管杭を地盤に対して傾斜した状態で保持しながら地盤に圧入するためには、全旋回オールケーシング掘削機を傾斜した状態で支持する装置が必要である等の問題がある。
【０００５】
本発明者は、前記の問題に対して、種々研究をした結果、傾斜架台または架台を使用して、回転圧入用鋼管杭を全旋回オールケーシング掘削機等の鋼管杭回転圧入装置にセットした後、全旋回オールケーシング掘削機を傾斜した状態で支持することにより、回転圧入用鋼管杭を地盤に対して傾斜した状態で回転圧入することができることを知見し、本発明を完成させた。
【０００６】
本発明は、鋼管杭を地盤（または水平面）に対して傾斜した状態で、回転させながら圧入施工することが可能な斜杭の施工方法およびその施工装置ならびに斜杭施工用架台を提供することを目的とする。
【０００７】
【課題を解決するための手段】
前記問題点を解決するため、請求項１の斜杭の施工方法においては、傾斜支持部７を有する傾斜架台４の低レベル側の下部を支持部材８に載置して、前記傾斜架台４の上部を水平にした状態で傾斜架台４を地盤３上に配置し、その傾斜架台４に鋼管杭回転圧入装置２の下部を係合した状態で載置した後、前記鋼管杭回転圧入装置２に回転圧入用鋼管杭１を建て込み、その回転圧入用鋼管杭１の下部を鋼管杭回転圧入装置２により把持した状態で、鋼管杭回転圧入装置２の一端側をクレーン６により片吊りして前記傾斜架台４の下部の前記支持部材８を撤去し、次いで前記鋼管杭回転圧入装置２を吊り降ろして、鋼管杭回転圧入装置２および回転圧入用鋼管杭１を地盤３に対して傾斜させ、その後、鋼管杭回転圧入装置２を駆動して、回転圧入用鋼管杭１を地盤３に回転させながら圧入することを特徴とする。
【０００８】
さらに、請求項２の斜杭の施工方法においては、鋼管杭挿通孔９を有する座板１８上に間隔をおいて配置された一対の架台５に鋼管杭回転圧入装置２の下部を係合した状態で載置した後、その鋼管杭回転圧入装置２に回転圧入用鋼管杭１を建て込み、その回転圧入用鋼管杭１の下部を鋼管杭回転圧入装置２により把持した状態で、鋼管杭回転圧入装置２の一端側をクレーン６により片吊りして一方の架台５を撤去し、次いで前記鋼管杭回転圧入装置２を吊り降ろして、鋼管杭回転圧入装置２および回転圧入用鋼管杭１を地盤３に対して傾斜させ、その後、鋼管杭回転圧入装置２を駆動して、回転圧入用鋼管杭１を地盤３に回転させながら圧入することを特徴とする。
【０００９】
さらにまた、請求項３の斜杭施工装置においては、請求項１記載の斜杭の施工方法に適用され、上部の一端側から他端側に向って傾斜する前記傾斜支持部７を備えていると共に、鋼管杭挿通孔９を備えている傾斜架台４が地盤３上に配置され、その傾斜架台４に、鋼管杭回転圧入装置２の下部を係合させるＬ形鋼板からなるずれ止めを備えると共に、鋼管杭回転圧入装置２が傾斜した状態で載置されていることを特徴とする。
【００１０】
また、請求項４の斜杭施工装置においては、請求項２記載の斜杭の施工方法に適用され、鋼管杭挿通孔９を有する座板１８上に配置された架台５に、鋼管杭回転圧入装置２の一側下部が係合載置されて、鋼管杭回転圧入装置２が傾斜した状態で配置されていることを特徴とする。
【００１１】
また、請求項５の斜杭施工装置においては、請求項４記載の斜杭施工装置において、さらに鋼管杭回転圧入装置２の一側下部が、着脱自在なピンを介して係合載置されることを特徴とする。
【００１２】
【発明の実施の形態】
以下、本発明の一実施形態を図面を参照しながら具体的に説明する。
先ず、本発明の施工方法において使用する第１形態の傾斜架台について、図７および図８を参照しながら説明する。図７および図８は、本発明の斜杭施工用傾斜架台４を示すものであって、図７は傾斜架台４を示す側面図および平面図であり、図８は傾斜支持台１２の単体を示す側面図および平面図である。
【００１３】
図８に示すように、長方形等の鋼製矩形状下面板２０の上面に、ほぼ三角形状の鋼製側面板２１で、下辺の長さが前記矩形状下面板２０の長辺の長さとほぼ同じ長さを有するほぼ直角三角形状の面板２１が、前記矩形状下面板２０の上面の巾方向（前後方向）中央部と両側部に左右方向に延長するように直角に立設配置されると共に、等間隔を置いて平行に３枚載置されて溶接により固定され、また前記面板２１間に前後方向に延長する鋼製補強用縦リブ２２が左右方向に間隔をおいて配置されて各面板２１および下面板２０に溶接により固定され、前記補強用縦リブ２２は面板２１の傾斜に沿って上部がほぼ同レベルになるように、高さの異なる鋼板が配置されている。
【００１４】
前記面板２１の上部に渡って矩形状の鋼製上面板２３が載置されて、その鋼製上面板２３の周側部が溶接により、面板２１，補強用縦リブ２２に固着されて、前記下面板２０，面板２１，補強用縦リブ２２並びに上面板２３が強固に一体化された傾斜支持台１２が構成されている。
【００１５】
図７に示すように、間隔を置いて平行に配置された一対の前記傾斜支持台１２にわたって、矩形状で、中央部に鋼管杭挿通用透孔９を有する鋼板製上面板１３ａからなる連結部材１３が載置されて、その連結部材１３の外周側または下面が、傾斜支持台１２の上面板１３ａに溶接により固着されて、前記各傾斜支持台１２が強固に連結されて、傾斜架台４が構成されている。
【００１６】
前記傾斜架台４の上面板１３ａの４隅部には、上面板１３ａの周囲に沿って、鋼板製で、横方向のずれ止め部材２４が固着されており、この横方向のずれ止め部材２４は、全旋回オールケーシング掘削機などの鋼管杭回転圧入装置２の脚座２５の横方向のずれ止めを図り、また、同図に２点鎖線で示すように、前記脚座２５が載置された後、その上動または横方向のずれ止めを図るために、前記脚座２５の上面に一辺が近接するようにＬ形鋼板からなる後付けのずれ止め部材２６の他片を上面板１３ａに溶接により固着する。前記上面板１３ａとずれ止め部材２４等により傾斜支持部７が構成されている。前記上面板１３ａの上面とずれ止め２４（またはこれに後付けのずれ止め２６）等により係合部１５が構成されている。
前記傾斜架台４の傾斜角は、３〜２５度程度の範囲で、適宜設定するとよい。
【００１７】
次に、前記の傾斜架台４を使用して、回転圧入用鋼管杭１を傾斜した状態で、地盤３に回転圧入する場合について、図１および図２を参照しながら、その施工方法および施工装置（一例としての全旋回オールケーシング掘削機２の構造説明は後記する。）と共に説明する。
【００１８】
まず、図１の（ａ）に示すように、適宜クローラクレーン等のクレーン６を使用して、地盤３上に、枕材となる鋼板製箱型断面の直方体等の支持部材８を配置する。この支持部材８は、前記傾斜架台４における各傾斜支持台１２の低レベル側の下部にわたって配置可能な長さの一本もの等の支持部材８で、その支持部材８に傾斜架台４の一端側の低レベル側を載置するようにして、前記傾斜架台４の上面を水平な状態にする。
【００１９】
次いで、この水平な傾斜架台４の上面における４隅のずれ止め部材２４の内側にそれぞれ脚座２５が位置するように（図７参照）、全旋回オールケーシング掘削機からなる鋼管杭回転圧入装置２の下部脚座２５を載置すると共に、全旋回オールケーシング掘削機の脚座２５のずれ止めを図るために、後付けのずれ止め部材２６を前記傾斜架台４に固定し（図３、図４参照）、鋼管杭回転圧入装置２と傾斜架台４の係合を図る。
【００２０】
次いで、図１の（ｂ）に示すように、この状態の全旋回オールケーシング掘削機からなる鋼管杭回転圧入装置２に、回転圧入用鋼管杭１をクレーン６により吊り下げ支持させると共に、図１の（ｃ）（および図６）に示すように、下端部に螺旋状翼または螺旋状羽根１４を有する回転圧入用鋼管杭１の下部を、鋼管杭回転圧入装置２にけるスパイラルカラー２７に、クレーン６における係止フックに条体２９を介して支持されている前記回転圧入用鋼管杭１を回転させながら降下させて、鋼管杭１の螺状羽根部分１４を通過させた後、鋼管杭１を鋼管杭回転圧入装置２におけるチャック２８により把持して保持する。
【００２１】
次いで、図１の（ｄ）に示すように、クレーン６により、傾斜架台４における低レベル側に位置する鋼管杭回転圧入装置２の片側（一端側）を片吊りすることにより、鋼管杭回転圧入装置２の他端側脚座２５で傾斜架台４の高レベル側に鋼管杭回転圧入装置２の荷重を付加させて、傾斜架台４の低レベル側を地盤３から浮かして、前記支持部材８を取外した後、図２の（ｅ）に示すように、鋼管杭回転圧入装置２を吊り降ろして、傾斜架台４の一端側を地盤３に着座させて、鋼管杭回転圧入装置２およびこれに支持されている回転圧入用鋼管杭１を地盤３または水平面に対して傾斜した状態にする。これにより、鋼管杭回転圧入装置２および回転圧入用鋼管杭１は、地盤３または水平面に対して傾斜した状態に配置されることになる。
【００２２】
次いで、前記鋼管杭回転圧入装置２の一端側に、鋼製反力バー３０の一端部が横軸３１により連結され、鋼製反力バー３０の先端部をクレーン６の車体３２に係合させて、鋼管杭回転圧入装置２により回転圧入用鋼管杭１を回転させる時の回転反力を、前記クレーン６により受けるようにしている。この実施形態の場合は、鋼製反力バー３０の基端側が地盤面よりも下位レベルになる場合は、鋼製反力バー３０下面の地盤３を適宜掘り下げる。なお、鋼製反力バー３０の先端部をクレーン６の車体３２に固定のブラッケト等に横軸により連結するようにしてもよい。（図示を省略した。）
【００２３】
この状態で、図２の（ｆ）に示すように、鋼管杭回転圧入装置２を駆動すると共に、回転圧入用鋼管杭１に、鋼管杭回転圧入装置２の上載荷重をかけながら地盤３に、回転圧入する。前記の上載荷重は、螺旋状羽根１４が地盤３に貫入させるために、上載荷重を付加する必要がある。また、鋼管杭回転圧入装置２における傾斜角度調整用ジャッキ３４を作用させて、鋼管杭回転圧入装置２の傾斜角度を調整することにより、回転圧入用鋼管杭１の傾斜角度を修正または調整することができる。
【００２４】
前記の上載荷重は、螺旋状羽根１４が地表面下に入るまで、羽根による推進力が生じないので、貫入初期には、鋼管杭回転圧入装置２の自重の上載荷重を必要とするが、貫入後では、地盤のＮ値にもよるが、全旋回オールケーシング掘削機等の鋼管杭回転圧入装置２のみの一定の上載荷重またはさらに荷重を付加して行なうこともできる。
【００２５】
なお、前記回転圧入用鋼管杭１を傾斜した状態で、回転圧入する場合、鋼管杭回転圧入装置２におけるジャッキ３４を伸縮調整して、回転圧入用鋼管杭の傾斜貫入角度を調整するようにしてもよい。
【００２６】
この実施形態では、鋼管杭回転圧入装置２により、一定の上載荷重を回転圧入用鋼管杭１に付加させながら、図２の（ｇ）に示すように、所定の深度まで、回転圧入用鋼管杭１を回転圧入させて、圧入を完了させた。なお、図示を省略するが、回転圧入用鋼管杭１の上端部に新たな鋼管を溶接等により固着して、所定の深度に達する回転圧入用鋼管杭を圧入するようにしてもよい。なお、図２の（ｈ）に示すように、地盤３に圧入された回転圧入用鋼管杭１を引き抜く場合には、鋼管杭回転圧入装置２により、回転圧入用鋼管杭１を逆回転させながら引き抜き力を作用させると、回転圧入用鋼管杭１を容易に引き抜くことができる。
【００２７】
次に、前記の鋼管杭回転圧入装置（全旋回オールケーシング掘削機）２の構造について、図６を参照しながら説明すると、矩形環状のベースフレーム３３の４隅部に、下部に脚座２５を有する油圧式等の角度調整用ジャッキ３４のシリンダ３５が固定され、前記ジャッキ３４の可動ピストン３６の先端部に球継手１９を介して脚座２５が取り付けられている。
【００２８】
また、前記ベースフレーム３３上に、昇降フレーム３７を昇降させるための複数（４本）の昇降ジャッキ３８が立設され、前記昇降ジャッキ３８を短縮することにより回転圧入用鋼管杭１を圧入するように構成されている。前記昇降フレーム３７の上部には、チャックカラー昇降ジャッキ３９が設けられている。また、昇降フレーム３７の下部内側には、ベアリング４０が設けられ、このベアリング４０を介して、上方が拡径した内周テーパ面４１が形成された回転体４２が設けられている。前記回転体４２の外周には、環状の外歯４３が設けられ、その外歯４３は中間歯車６２を介して、昇降フレーム３７に固定された回転体駆動用油圧モータ４４の駆動歯車４６に噛合している。
【００２９】
前記回転体４２の内方には、回転圧入用鋼管杭１の鋼管部４７を把持して回転するチャックカラー２７が設けられている。チャックカラー２７には、カラー支持ブロック４８がボルト４８ａにより固着されており、カラー支持ブロック４８の外面には、これにクサビ機能を付与すべく、上方が拡径したテーパ面４９が形成されていて、このテーパ面４９を回転体４２の上部が拡径した内周テーパ面４１とスライド可能に接触させることで、クサビ機構５０を構成している。
【００３０】
チャックカラー２７には、図６に示すように、回転圧入用鋼管杭１の螺旋翼１４と同ピッチの凹溝５１を形成してある。そして、鋼管杭回転圧入装置２の上方より回転圧入用鋼管杭１を吊り降ろし、螺旋翼１４を凹溝５１に沿わせて、回転圧入用鋼管杭１を回転させながら螺入することで螺旋翼１４をチャックカラー２７の部位を通過させ、その後、チャックカラー２７の先端の杭把持径調整治具５２と、これに設けた高摩擦材料により押圧把持して回転圧入する。
【００３１】
さらに説明すると、チャックカラー２７は、円周方向に等間隔で複数（例えば８ヶ所）配置されていている。チャックカラー２７は、立て長の箱型断面のチャック本体部５３と、このチャック本体部５３の前側板５４に、上下板と両側板からなる箱型断面のチャックブラッケット部５５を固着して構成される。チャックブラッケット部５５は、各チャックカラー２７毎に上下方向に位置をずらしながら所定の間隙を開けて上下に多段に設けることにより、円周方向に等間隔で設けた８個のチャックカラー２７の全体の間隙が連続することで、回転圧入用鋼管杭１の螺旋翼１４と同ピッチの凹溝５１が構成される。
【００３２】
前記のように、鋼管杭回転圧入装置２を前記の傾斜角度程度の範囲内において、傾斜しても、鋼管杭回転圧入装置２と傾斜架台４の係合状態は保持され、鋼管杭回転圧入装置２の回転反力は、鋼製反力バー３０からなる反力伝達部材１０を介して、クレーン６に伝達させることができる。また、前記の鋼管杭回転圧入装置２の４隅に配置された角度調整用ジャッキ３４の伸縮量を調整することにより、鋼管杭回転圧入装置２の傾斜角度を適宜調整することができ、さらに、前記ジャッキ３４の可動ピストン３６の先端部に、ほぼ球状部を有すると共に受け座がわに半球状受け部を有する球継手１９を介して脚座２５が取り付けられているので、傾斜架台４に脚座２５を安定した状態で載置することができる。
【００３３】
前記のようにして、一本目の回転圧入用鋼管杭１を施工した後、これに新たな鋼管の下部を前記回転圧入用鋼管杭の上端に溶接等により、固着することにより、所定の長さの回転圧入用鋼管杭１からなる斜杭１６も施工するようにしてもよい。
【００３４】
回転圧入用鋼管杭１を所定の位置まで、回転圧入施工したのちは、鋼管杭回転圧入装置２および傾斜架台４をそれぞれ、新たな施工場所に移動させて、前記と同様な手順により、回転圧入用鋼管杭１を回転圧入施工する。
【００３５】
前記実施形態の場合は、傾斜架台４を使用し、鋼管杭回転圧入装置２の下部脚座２５と、傾斜架台４の係合を、予め傾斜架台４に固定のずれ止め２４と、後付けのずれ止め部材２６により、鋼管杭回転圧入装置２の下部脚部２５が係止されて、鋼管杭回転圧入装置２の横移動および上動を防止するようにされているが、次の実施形態のように、傾斜架台４を使用することなく、鋼管杭回転圧入装置２を傾斜させると共に、また鋼管杭回転圧入装置２のずれ止めを図ることができるので、この形態について説明する。
【００３６】
図９〜図１３は、前記実施形態の傾斜架台４の代わりに、ほぼ直方体状の鋼製枕材１７の上部両端部にずれ止め部材２４を同じ向きに設けて構成した一対の架台５と、これらの一対の架台５を横移動不能に係合した状態で載置する矩形状の鋼板製座板１８とを使用した形態であり、前記鋼製座板１８の中央部には、鋼管杭挿通用透孔９を備えていると共に、座板１８の左右両側にはそれぞれ、各架台５の横移動を防止するずれ止め部材２４が溶接等により固定されている。前記のずれ止め部材２４は、架台５の前後左右の外側に位置するように配設された各ずれ止め板２４ａ〜２４ｃからなり、詳しくは、前後方向に間隔をおいて平行に配置されて固定された前部ずれ止め板２４ａと後部ずれ止め板２４ｂおよびに側部ずれ止め板２４ｃとから構成されている。さらに架台５の構成について具体的に説明すると、この架台５は、前記鋼製枕材１７の長手方向の両端部に、鋼製円盤状の座板５６が溶接により固定され、その座板５６の上面に、半円状部を有する平面ほぼＵ字状で、断面がほぼＬ字状のずれ止め部材本体５７の脚部５８が溶接により固定され、前記脚部５８の上部に一体に内向きのフランジ５９が配置されている。前記の半円状部の直径は、鋼管杭回転圧入装置２における脚部２５の直径より若干大きく設定され、また前記Ｕ字状部分の各先端部上面には、対向するように鋼製ブラケット６０が溶接により固定され、前記各ブラケット６０にピン挿通用透孔６１が設けられ、各ブラケット６０のピン挿通用透孔６１に渡って、着脱自在なピン６２が設けられて、係合部１５が構成されている。
【００３７】
この架台５に鋼管杭回転圧入装置２における脚座２５を係止する場合には、前記ピン６２を外した状態で、脚座２５を載置した（なお、架台１８または鋼管杭回転圧入装置２側を適宜、横移動させて係合させる）後、ピン６２を架設して行なう。前記ピン６２と脚部５８と上部フランジ５９により、鋼管杭回転圧入装置２の横方向および上動のずれ止めを図るようにしている。
【００３８】
この架台５を使用して、鋼管杭回転圧入装置２を設置する場合には、図９に示すように、地盤３上に載置された鋼製座板１８の左右の各ずれ止め２４内に位置するように、各架台５ａ，５ｂを間隔を置いて平行に前記座板１８に載置し、ピン６１を取外した状態で、鋼管杭回転圧入装置２の脚座２５を前記ずれ止め部材本体５７内に配置して載置し、ピン６１を装着して、架台５と鋼管杭回転圧入装置２の係合を図る。（図１１、図１２のａ参照）
【００３９】
次いで、前記実施形態と同様に、図１２の（ｂ）〜（ｄ）に示すように、全旋回オールケーシング掘削機からなる鋼管杭回転圧入装置２に回転圧入用鋼管杭１を建て込むと共に、鋼管杭回転圧入装置２により把持した後、クレーン６により鋼管杭回転圧入装置２の片側を吊り上げて、一方の架台５ｂのピン６１を取外して、一方の架台５ｂを取外すか、一方の架台５ｂのピン６１を取外した後、鋼管杭回転圧入装置２を片吊りして、前記架台５ｂを取外す。なお、後で取外される前記一方の架台５ｂには、横方向だけのずれ止め機能を有するずれ止めを設けるようにしてもよく、上下方向の係合手段（ピン６１または内向きフランジ）を備えていない形態のずれ止め２４を有する架台５ｂとしてもよい。
【００４０】
次いで、前記実施形態と同様に、図１３の（ｅ）に示すように、鋼管杭回転圧入装置２を片側を座板１８に着座させ、鋼製反力バー３０からなる反力伝達部材１０を鋼管杭回転圧入装置２に横軸３１により連結すると共に、クレーン６の車体に反力バー３０の先端部を係合させる。
【００４１】
次いで、前記実施形態と同様に、図１３の（ｆ）〜（ｇ）に示すように、鋼管杭回転圧入装置２を駆動して、回転圧入用鋼管杭１を地盤３に回転圧入施工する。
【００４２】
前記実施形態の場合には、地盤３に傾斜架台４を載置するようにしているが、鋼板製の支持台上に傾斜架台４を載置するようにしてもよい。傾斜架台４に示すずれ止め手段に代えて、図９以降に示す形態のずれ止め手段を採用するようにしてもよく、また、図９以降に示す形態のずれ止め手段に代えて、傾斜架台４に採用したずれ止め手段を採用するようにしてもよい。
【００４３】
前記実施形態の場合には、クサビ式の全旋回オールケーシング掘削機からなる鋼管杭回転圧入装置２を示したが、鋼管杭回転圧入装置２としては、バンド式に回転圧入用鋼管杭１を把持する鋼管杭回転圧入装置を使用するようにしてもよく、これ以外にも、他の適宜の鋼管杭回転圧入装置を使用するようにしてもよい。
【００４４】
【発明の効果】
本発明によると、回転圧入用鋼管杭を鋼管杭回転圧入装置により把持した状態で、鋼管杭回転圧入装置を傾斜した状態に保持することにより、回転圧入用鋼管杭を傾斜した状態で地盤に回転圧入するので、従来困難であった回転圧入用鋼管杭を斜めに傾斜した状態で地盤に、容易に回転圧入することができるため、回転圧入用鋼管杭からなる斜杭を容易に施工することができる。また、全旋回オールケーシング掘削機等の鋼管杭回転圧入装置を使用しているので、この装置の利点である、低騒音，低振動の施工できる点の効果も得られる。
【００４５】
また、請求項１または請求項２のように、傾斜架台の下部に支持部材を配置して、傾斜架台を一時的に水平するか、一対の架台を使用して一時的に水平にした状態で、鋼管杭回転圧入装置の載置および回転圧入用鋼管杭の建て込み後、鋼管杭回転圧入装置をクレーンにより支持して支持部材または一方の架台を取外して吊り降ろすだけで、鋼管杭回転圧入装置および回転圧入用鋼管杭を傾斜した状態に、簡単に設置することができ、したがって、容易に回転圧入用鋼管杭を傾斜した状態で、地盤に回転圧入することができる。
【００４６】
また、請求項３のように、本発明の斜杭施工装置は、傾斜支持部を備えていると共に、鋼管杭挿通用透孔を備えている斜杭施工用架台を、既存の全旋回オールケーシング掘削機等の鋼管杭回転圧入装置およびクレーンに付加するだけの簡単な構成であるので、容易に低コストで、斜杭施工用装置を構成することができ、施工も容易ある効果がある。
【００４７】
また、請求項４の発明は、鋼管杭挿通孔９を有する座板１８上に配置された架台５に、鋼管杭回転圧入装置２の一側下部が係合載置されて、鋼管杭回転圧入装置が傾斜した状態で配置されている簡単な構成の斜杭施工装置であるので、容易に低コストで、斜杭施工用装置を構成することができ、施工も容易ある効果がある。
【００４８】
また、本発明では、鋼管杭回転圧入装置と、これを支持するクレーンとが、前記鋼管杭回転圧入装置の反力をクレーンに伝達するための反力伝達部材により係合されて、鋼管杭回転圧入装置に作用する反力を支持していると、簡単な構成で、鋼管杭回転圧入装置２の回転反力を容易にクレーンにより支持することができる。
【００４９】
さらに本発明では、間隔をおいて平行に配置された傾斜支持台に、鋼管杭挿通用透孔を有する連結部材を配置して傾斜支持台に固定するだけで、容易に全旋回オールケーシング掘削機等の鋼管杭回転圧入装置を傾斜した状態で支持できる簡単な構造の傾斜した架台を製作することができる。また傾斜支持台の隅部に全旋回オールケーシング掘削機等の鋼管杭回転圧入装置に係合させるための係合部を設けているので、容易に全旋回オールケーシング掘削機等の鋼管杭回転圧入装置の下部を係合させて、鋼管杭回転圧入装置を安定した状態で支持することができる。また傾斜支持台が傾斜していても、全旋回オールケーシング掘削機との係合を強固な係合とすることができる。また、回転圧入用鋼管杭からなる斜杭を地盤に傾斜した状態で回転圧入するために使用される鋼管杭回転圧入装置を容易に傾斜した状態で支持することができる。
【図面の簡単な説明】
【００５０】
【図１】  （ａ）〜（ｄ）は本発明の斜杭の施工方法を実施して回転圧入用鋼管杭の施工手順を示す概略側面図である。
【図２】  （ｆ）〜（ｇ）は図１の続きの手順を示す概略側面図であり、（ｈ）は回転圧入用鋼管杭を引き抜く場合の概略側面図である。
【図３】  傾斜架台に全旋回オールケーシング掘削機からなる鋼管杭回転圧入装置を傾斜した状態で設置すると共に、反力バーを配設した状態を示す側面図である。
【図４】  図５の一部を拡大して示す側面図である。
【図５】  鋼管杭回転圧入装置に連結された鋼製反力バーの先端部をクレーンに係合させた状態を示す平面図である。
【図６】  全旋回オールケーシング掘削機の構造を示す縦断側面図である。
【図７】  傾斜架台を示すものであって、（ａ）は平面図であり、（ｂ）は側面図である。
【図８】  傾斜支持台を示すものであって、（ａ）は平面図であり、（ｂ）は側面図である。
【図９】  他の形態の架台を間隔を置いて平行に地盤に配置した状態を示す平面図である。
【図１０】  図９に示す架台に鋼管杭回転圧入装置を載置した後、クレーンにより鋼管杭回転圧入装置を片吊りして、一方架台を取外して、鋼管杭回転圧入装置を吊り降ろした状態の一端側を示す側面図である。
【図１１】  他の形態の架台と鋼管杭回転圧入装置の脚座との関係を示すものであって、（ａ）は平面図であり、（ｂ）は側面図である。
【図１２】  （ａ）〜（ｄ）は本発明の斜杭の施工方法を実施して回転圧入用鋼管杭の施工手順を示す概略側面図である。
【図１３】  （ｆ）〜（ｇ）は図１２の続きの手順を示す概略側面図であり、（ｈ）は回転圧入用鋼管杭を引き抜く場合の概略側面図である。
【符号の説明】
【００５１】
１  回転圧入用鋼管杭
２  全旋回オールケーシング掘削機
３  地盤
４  傾斜架台
５  架台
６  クレーン
７  傾斜支持部
８  支持部材
９  鋼管杭挿通孔
１０  反力伝達部材
１１  斜杭
１２  傾斜支持台
１３  連結部材
１３ａ  上面板
１４  螺旋状羽根（または螺旋状翼）
１５  係合部
１６  斜杭
１７  鋼製枕材
１８  座板
１９  球継手
２０  矩形状下面板
２１  面板（側面板）
２２  補強用リブ
２３  上面板
２４  ずれ止め部材
２５  鋼管杭回転圧入装置の脚座
２６  後付けずれ止め部材
２７  スパイラルカラー
２８  チャック
２９  条体
３０  鋼製反力バー
３１  横軸
３２  車体
３３  ベースフレーム
３４  角度調整用ジャッキ
３５  シリンダ
３６  可動ピストン
３７  昇降フレーム
３８  昇降ジャッキ
３９  チャックカラー昇降ジャッキ
４０  ベアリング
４１  内周テーパ面
４２  回転体
４３  外歯
４４  回転体駆動用油圧モータ
４５  中間歯車
４６  駆動歯車
４７  鋼管部
４８  カラー支持ブロック
４８ａ  ボルト
４９  テーパ面
５０  クサビ機構
５１  凹溝
５２  杭把持径調整治具
５３  チャック本体部
５４  前側板
５５  チャックブラケット部
５６  座板
５７  ずれ止め部材本体
５８  脚部
５９  内向きフランジ
６０  ブラケット
６１  ピン挿通用透孔
６２  中間歯車
【図１】
0003737421.tif 000002
【図２】
0003737421.tif 000003
【図３】
0003737421.tif 000004
【図４】
0003737421.tif 000005
【図５】
0003737421.tif 000006
【図６】
0003737421.tif 000007
【図７】
0003737421.tif 000008
【図８】
0003737421.tif 000009
【図９】
0003737421.tif 000010
【図１０】
0003737421.tif 000011
【図１１】
0003737421.tif 000012
【図１２】
0003737421.tif 000013
【図１３】
0003737421.tif 000014